(57)【特許請求の範囲】
【請求項１】
グロメットを装着するために樹脂パネルに設けた被装着部に、グロメットに設けた装着部を嵌合させるグロメットの嵌合構造であって、
前記装着部はＵ字状の縁面を備えた板部とＵ字状縁面から凹設された保持部と板部のＵ字状縁面から延設されたシール部を備え、前記被装着部と嵌脱自在なガイド部材は硬質樹脂でＵ字状に形成され外周側には前記樹脂パネルの被装着部と嵌脱自在な嵌合ガイド溝が備えられ、前記ガイド部材を前記グロメットの前記装着部に設けた保持部に嵌め込み、ガイド部材の嵌合ガイド溝に向けて樹脂パネルの被装着部を嵌入することで前記装着部と前記被装着部とが嵌合し、嵌合状態で前記装着部の板部の縁面から延設されシール部が樹脂パネルの一面側から該樹脂パネルに圧接していることを特徴とするグロメットの嵌合構造。
【請求項２】
ガイド部材は、硬質樹脂からなる請求項１記載のグロメットの嵌合構造。
【発明の詳細な説明】
【０００１】
【発明の属する技術分野】
本発明は、防水ボックスなどの樹脂パネルに装着するグロメットの嵌合構造に関する。
【０００２】
【従来の技術】
この種のグロメットの嵌合構造として、図４〜図５や特開平１１−２９８１６５号公報に開示されたものがある。特に防水性を重視する場合は図４〜図５に示すようなグロメットの嵌合構造が用いられる。このグロメットの嵌合構造は、防水ボックス１の樹脂パネル２に設けられた被装着部３に、グロメット４に設けられた装着部５を、押し込むことで被装着部３と装着部５とを嵌合するものである。
【０００３】
このような嵌合構造では、被装着部３と装着部５との嵌合によって迷路構造が形成されて、被装着部３と装着部５との嵌合面から水が侵入しにくくなっている。また、グロメット４の装着部５には複数の防水リップ６が突設されており、この防水リップ６によって、嵌合状態で被装着部３と装着部５との密着度が高まり、さらに防水性が向上する。
【０００４】
【発明が解決しようとする課題】
しかしながら、このような従来のグロメット４の嵌合構造では、防水性は高いものの、軟質のグロメット４を被装着部３にきつく押し込む必要があるため、嵌合作業性が悪い。また、防水リップ４を備えた装着部５を、被装着部３に押し込むような場合は、特に嵌合作業性が悪化してしまうとともに、はめ込み具合によっては被装着部３と装着部５との間に隙間が生じてしまい、逆に防水性が落ちてしまう虞もある。
【０００５】
本発明はこのような課題を解決すべくなされたものであり、防水性を維持しつつ、樹脂パネルへの嵌合作業性の良いグロメットを提供することを目的とする。
【０００６】
【課題を解決するための手段】
請求項１記載の発明は、グロメットを装着するために樹脂パネルに設けた被装着部に、グロメットに設けた装着部を嵌合させるグロメットの嵌合構造であって、
前記装着部はＵ字状の縁面を備えた板部とＵ字状縁面から凹設された保持部と板部のＵ字状縁面から延設されたシール部を備え、前記被装着部と嵌脱自在なガイド部材は硬質樹脂でＵ字状に形成され外周側には前記樹脂パネルの被装着部と嵌脱自在な嵌合ガイド溝が備えられ、前記ガイド部材を前記グロメットの前記装着部に設けた保持部に嵌め込み、ガイド部材の嵌合ガイド溝に向けて樹脂パネルの被装着部を嵌入することで前記装着部と前記被装着部とが嵌合し、嵌合状態で前記装着部の板部の縁面から延設されシール部が樹脂パネルの一面側から該樹脂パネルに圧接していることを特徴とする。
【０００７】
請求項１記載の発明によれば、第一に、硬質であり且つ被装着部と嵌脱自在であるガイド部材をグロメットの装着部にはめ込んであるので、装着部と被装着部との嵌合の際に、硬質のガイド部材が装着部の形態を維持しつつ、被装着部との嵌合をガイドすることができる。このようなガイド部材のガイドによって、装着部と被装着部の嵌合がなめらかになり、グロメットのパネルへの嵌合作業性が向上する。第二に、装着部と被装着部との嵌合状態で、樹脂パネルの一面側から樹脂パネルに圧接するシール部を装着部から突設してあるので、上述のように嵌合作業性を高めたことに起因して甘くなりがちな防水性を補完することができる。つまり、請求項１記載の発明によれば、防水性を維持しつつ、硬質パネルへの嵌合作業性の良いグロメットを提供することができる。
【０００８】
請求項２の発明は、ガイド部材が硬質樹脂からなるとしている。
【０００９】
請求項２記載の発明によれば、硬質のガイド部材として硬質樹脂を用いるので、装着部と被装着部との嵌合は、樹脂同士の嵌合となるので、特に嵌入が滑らかにいく。
【００１０】
【発明の実施の形態】
以下、本発明の一実施形態を図面に基づいて説明する。図１はグロメットと樹脂パネルとの嵌合構造を示す分解斜視図、図２はグロメットと樹脂パネルとの嵌合状態を示す断面図である。
【００１１】
この実施形態のグロメットの嵌合構造において、電装品等を収納する防水ボックス１を形成する樹脂パネル２と、樹脂パネル２に設けられた被装着部３に装着するグロメット４と、樹脂パネル２へのグロメット４の装着をガイドするガイド部材Ｇと、が主な構成要素である。
【００１２】
樹脂パネル２には、グロメット４を装着するための被装着部１２が設けられており、樹脂パネル２の端部２ａをＵ字状に切り欠いて形成してある。
【００１３】
この被装着部３に装着するグロメット４は、ゴムから形成されており、被装着部３に装着するための装着部５と、複数の電線からなるワイヤーハーネスを内側に保持する保持筒６と、を備えている。保持筒６は概略円筒形状であり、防水ボックス１の外側に突き出している第１開口部７と、防水ボックス１の内側に開口する第２開口部８と、を備えている。保持筒６の内壁面には、第１開口部７に近接する位置に防水リップ９が設けられており、この防水リップ９によってワイヤーハーネスを伝って保持筒６内に水が侵入してくるのを防ぐことができる。また、保持筒６は保持筒６自身の柔軟性を高めるための蛇腹部１０を備えている。そして、この保持筒６の外周には、樹脂パネル２の被装着部３に装着するための装着部５が一体に形成されている。
【００１４】
装着部５は、Ｕ字状の縁面１１ａを備えた板部１１と、ガイド部材Ｇを抱え込んで保持するためにＵ字状縁面１１ａから凹設されてた保持部１２と、を備えている。そして、この装着部５は、板部１１のＵ字状縁面１１ａから延設されたシール部１３をさらに備えている。このシール部１３は、基端１３ａが板部１１と一体に形成されており、この基端１３ａから先端１３ｂに向けて向けて保持部１２側に倒れ込むように傾斜している。
【００１５】
ガイド部材Ｇは硬質樹脂からなっていて、全体がＵ字状に形成されている。このＵ字状のガイド部材Ｇの外周側には、樹脂パネル２の被装着部３と嵌脱自在の嵌合ガイド溝Ｇ１が備えられている。そして、このガイド部材Ｇは、弾性的な部材で形成されているグロメット４の保持部１２にはめ込み可能となっている。
【００１６】
さて、実際に、グロメット４の装着部５と、樹脂パネル２の被装着部３と、の嵌合は以下のように行われる。まず、硬質であり且つ被装着部３と嵌脱自在であるガイド部材Ｇを、グロメット４の装着部５に設けた保持部１２に、はめ込む。そして、装着部５にはめ込まれたガイド部材Ｇの、嵌合ガイド溝Ｇ１に向けて、樹脂パネル２の被装着部３を嵌入することで、装着部５と被装着部３とが嵌合する。このとき、装着部５にはめ込まれた硬質のガイド部材Ｇは、装着部５の形態を維持するため、装着部５と被装着部との嵌合がスムーズになる。その結果、装着部５と被装着部３との嵌合が滑らかになり、グロメット４の嵌合作業性が向上する。
【００１７】
そして、グロメット４の嵌合状態では、図２に示すように、装着部５の板部１１の縁面１１ａから延設されたシール部１３が、防水ボックス１の外面側（樹脂パネルの一面側）から樹脂パネル２に圧接して、被装着部３と装着部５との嵌合部位をシールしている。そのため、このようなグロメットの嵌合構造をとると、嵌合作業性を高めたことに起因して甘くなりがちな防水性を補完することができる。このように、本実施形態によれば、防水性を維持しつつ、樹脂パネルへの嵌合作業性の良いグロメットを提供することができる。
【００１８】
なお、この実施形態では、グロメット４側に溝を形成してグロメット４を樹脂パネル２に装着するタイプであったが、図３に示すように樹脂パネル２の被装着部３に溝２ｂを形成するタイプであってもよい。また、ガイド部材Ｇは硬質樹脂に限らず、装着部の形態を維持できる硬質の部材であれば、樹脂以外の材質で形成してもよい。
【００１９】
【発明の効果】
以上説明したように、請求項１の発明によれば、第一に、硬質であり且つ被装着部と嵌脱自在であるガイド部材をグロメットの装着部にはめ込んであるので、装着部と被装着部との嵌合の際に、硬質のガイド部材が、装着部の形態を維持しつつ、装着部と被装着部との嵌合をガイドすることとなる。このようなガイド部材のガイドによって、装着部と被装着部の嵌合が滑らかになり、グロメットのパネルへの嵌合作業性が向上する。第二に、装着部と被装着部との嵌合状態で、樹脂パネルの一面側から樹脂パネルに圧接するシール部を装着部から突設してあるので、上述のように嵌合作業性を高めたことに起因して甘くなりがちな防水性を補完することができる。つまり、請求項１記載の発明によれば、防水性を維持しつつ、硬質パネルへの嵌合作業性の良いグロメットを提供することができる。
【００２０】
請求項２記載の発明によれば、硬質のガイド部材として硬質樹脂を用いるので、装着部と被装着部との嵌合は、樹脂同士の嵌合となるので、特に嵌入が滑らかにいく。
【図面の簡単な説明】
【図１】本発明の一実施形態にかかるグロメットの樹脂パネルへの嵌合構造を示す分解斜視図である。
【図２】図１中のＳＡ−ＳＡ断面にかかるグロメットと樹脂パネルとの嵌合状態を示す断面図である。
【図３】本発明の他の実施形態を示す断面図である。
【図４】従来のグロメットの嵌合構造を示す分解斜視図である。
【図５】分図ａは図４のグロメットの正面図、分図ｂは分図ａ中のＳＢ−ＳＢ断面にかかる断面図である。
【符号の説明】
２    樹脂パネル
３    被装着部
４    グロメット
５    装着部
１３  シール部
Ｇ    ガイド部材
【図１】
0003936531.tif 000002
【図２】
0003936531.tif 000003
【図３】
0003936531.tif 000004
【図４】
0003936531.tif 000005
【図５】
0003936531.tif 000006